(57)【要約】【課題】扱いが容易ではない溶接作業やロウ接作業を必要とすることなく、また経時的に緩み易いネジを用いることなく、しかも確実に且つ簡単にレールに対してクランプすることができ、電気接続を確保することができる鉄道レール用クランプとそれを用いたクランプ式レールボンドの提供を課題とする。【解決手段】金属製帯状厚肉の鉄道レール用クランプ１であって、クランプ胴部１０と、クランプ頭部２０と、クランプ尾部３０とからなり、クランプ頭部２０には、屈曲折返し部２２を構成することで、鉄道レールの下部フランジの圧入を受け入れる受入れ隙間２３を構成すると共に、係止段部２１を構成し、クランプ尾部３０には係止段部３１を構成している。【選択図】      図１
0003202005.tif 000002
【実用新案登録請求の範囲】
【請求項１】
鉄道レールの下部を構成する下部フランジに対して、取り外し可能にクランプして電気接続をなす金属製帯状厚肉の鉄道レール用クランプであって、
前記鉄道レールの下部フランジの下面側を横断するように配置されるクランプ胴部と、該クランプ胴部の長手方向先端側に一体形成されてなるクランプ頭部と、前記クランプ胴部の長手方向末端側に一体形成されてなるクランプ尾部とからなり、
前記クランプ頭部には、前記クランプ胴部の長手方向先端側を屈曲状態に折り返してなる屈曲折返し部を構成することで、前記鉄道レールの下部フランジのフランジ端部の圧入を受け入れる受入れ隙間を構成すると共に、前記下部フランジのフランジ端部のそれ以上の侵入を阻止する係止段部を構成し、
前記クランプ尾部には、前記クランプ頭部の係止段部に対応して下部フランジの他方の端部を係止する係止段部を構成していることを特徴とする鉄道レール用クランプ。
【請求項２】
クランプ頭部における受入れ隙間は、前記クランプ頭部の係止段部よりも末端側において最も狭くなるように構成され、更に屈曲折返し部の折り返し末端に向けて広くなるように構成されていることを特徴とする請求項１に記載の鉄道レール用クランプ。
【請求項３】
クランプ尾部の係止段部は、鉄道レールの下部フランジの幅に応じて複数段に構成されていることを特徴とする請求項１又は２に記載の鉄道レール用クランプ。
【請求項４】
クランプ胴部とクランプ頭部とクランプ尾部とからなる鉄道レール用クランプの全体がバネ鋼で構成されていることを特徴とする請求項１〜３の何れかに記載の鉄道レール用クランプ。
【請求項５】
クランプ頭部の屈曲折返し部の上面側に、鉄道レール用クランプ同士を電線を介して電気接続するための電線接続固定手段を構成していることを特徴とする請求項１〜４の何れかに記載の鉄道レール用クランプ。
【請求項６】
電線接続固定手段は、鉄道レール用クランプ同士を電気接続するために使用する電線の径に応じて、複数径の電線端子受入れ溝と、該電線端子受入れ溝に受け入れられた電線端子を機械的に押圧固定する押圧具を備えていることを特徴とする請求項５に記載の鉄道レール用クランプ。
【請求項７】
電線接続固定手段は、鉄道レール用クランプ同士を電気接続するために使用する電線の端子をネジ固定するネジ固定手段であることを特徴とする請求項５に記載の鉄道レール用クランプ。
【請求項８】
請求項１〜７の何れかに記載の鉄道レール用クランプを一対用い、該一対の鉄道レール用クランプ同士を電線で電気接続してなる、鉄道レールのレール間電気接続用のクランプ式レールボンド。
【考案の詳細な説明】
【技術分野】
【０００１】
本考案は鉄道レール用クランプとそれを用いたクランプ式レールボンドに関する。
【背景技術】
【０００２】
鉄道の線路である鉄道レールには、電車を走らせるために、また信号を送るために電流を流す必要がある。そして鉄道レールの各１本の長さには限りがあることから、レールの継ぎ目を電気接続する必要がある。このレールの継ぎ目を電気接続するのに用いられる接続器具はレールボンドと称されている。
レールに電気を流し易くするためには、レールを機械的に締め付けるだけでは不十分である。レールに付着した錆等の影響で電気抵抗が大きくなり、完全な電気回路を構成できないことがある。レールボンドはレール継目の電気抵抗をできるだけ少なく、レールとレールを結ぶ機能を必要とする。
レールボンドには、鉄道レールへの取り付け方によって、溶接方式、ロウ付け方式、ボルト・ナット方式等がある。
【先行技術文献】
【特許文献】
【０００３】
【特許文献１】実開昭６３−７３８６０号公報
【特許文献２】実公平１−２７５７１号公報
【特許文献３】特開平７−３２０８３９号公報
【特許文献４】特開２００１−２１０３９７号公報
【特許文献５】特開２００４−９２３４９号公報
【特許文献６】特開２００８−１７１５６７号公報
【特許文献７】特開２０１３−１０８２６２号公報
【考案の概要】
【考案が解決しようとする課題】
【０００４】
上記特許文献１には、ボルト・ナットを用いて、レールボンドを鉄道レールに取り付ける構成が開示されている。しかしながらボルト・ナットでレールボンドを鉄道レールに取り付ける方式は、特に振動の多い鉄道レールにおいては、ボルト・ナットが経時的に緩み易く、安定した電気接続を保証できないという問題がある。
上記特許文献２には、溶接ろう材を用いて、レールボンドをレールに溶接して取り付ける構成が開示されている。しかしながら溶接による取り付けは、溶接技術者を要し、また溶接用の電源や溶接設備を伴う作業となり、レールに熱ひずみ等の悪影響をもたらす問題がある。
上記特許文献３には、ハンダ（ロウ）を用いて、レールボンドを鉄道レールに取り付ける構成が開示されている。しかしながらハンダ（ロウ）でレールボンドを鉄道レールに取り付ける方式は、接合面を清浄にする作業を必要とし、また加熱装置を必要とするなど、作業が必ずしも容易ではない問題がある。
上記特許文献４には、ボルト・ナットとロウとによる組み合わせで、レールボンドを鉄道レールに取り付ける構成が開示されている。しかしながら前記特許文献１及び特許文献３の場合と同様の問題がある。
上記特許文献５には、テルミット剤を用いて、レールボンドをレールに溶接して取り付ける構成が開示されている。しかしながらテルミット剤を点火するような溶接による取り付けは、前記特許文献２の場合と同様の問題がある。
上記特許文献６には、レールボンドの端子をハンダでレール頭部の側面に接合させる構成が開示されている。またクランプ装置を用いて前記端子をレールに押しつけるようにして接合するように構成している。しかしながらハンダを用いる方式は、前記特許文献３の場合と同様の問題がある。また用いられるクランプ装置は、あくまでレールボンドの端子がレールにハンダ接合されるまでの補助的な押圧手段である。勿論、このクランプ手段を長期に亘って使用する場合には、使用している固定ネジの経時的な緩みが生じ易い問題ある。
上記特許文献７には、レールボンドの端子と接触して該端子をレール腹部に押圧する板バネと、該板ばねの基端部をレール底部に固定する固定部とを備えた構成が開示されている。しかしながら前記固定部をレールに固定する手段にボルト・ナットを用いており、前記特許文献１の場合と同様の問題がある。
【０００５】
そこで本考案は上記従来技術の問題を解消し、扱いが容易ではない溶接作業やロウ接作業を必要とすることなく、また経時的に緩み易いネジを用いることなく、しかも確実に且つ簡単にレールに対してクランプすることができ、電気接続を確保することができる鉄道レール用クランプとそれを用いたクランプ式レールボンドの提供を課題とする。
【課題を解決するための手段】
【０００６】
本考案の鉄道レール用クランプは、鉄道レールの下部を構成する下部フランジに対して、取り外し可能にクランプして電気接続をなす金属製帯状厚肉の鉄道レール用クランプであって、
前記鉄道レールの下部フランジの下面側を横断するように配置されるクランプ胴部と、該クランプ胴部の長手方向先端側に一体形成されてなるクランプ頭部と、前記クランプ胴部の長手方向末端側に一体形成されてなるクランプ尾部とからなり、
前記クランプ頭部には、前記クランプ胴部の長手方向先端側を屈曲状態に折り返してなる屈曲折返し部を構成することで、前記鉄道レールの下部フランジのフランジ端部の圧入を受け入れる受入れ隙間を構成すると共に、前記下部フランジのフランジ端部のそれ以上の侵入を阻止する係止段部を構成し、
前記クランプ尾部には、前記クランプ頭部の係止段部に対応して下部フランジの他方の端部を係止する係止段部を構成していることを第１の特徴としている。
また本考案の鉄道レール用クランプは、上記第１の特徴に加えて、クランプ頭部における受入れ隙間は、前記クランプ頭部の係止段部よりも末端側において最も狭くなるように構成され、更に屈曲折返し部の折返し末端に向けて広くなるように構成されていることを第２の特徴としている。
また本考案の鉄道レール用クランプは、上記第１又は第２の特徴に加えて、クランプ尾部の係止段部は、鉄道レールの下部フランジの幅に応じて複数段に構成されていることを第３の特徴としている。
また本考案の鉄道レール用クランプは、上記第１〜第３の何れかの特徴に加えて、クランプ胴部とクランプ頭部とクランプ尾部とからなる鉄道レール用クランプの全体がバネ鋼で構成されていることを第４の特徴としている。
また本考案の鉄道レール用クランプは、上記第１〜第４の何れかの特徴に加えて、クランプ頭部の屈曲折返し部の上面側に、鉄道レール用クランプ同士を電線を介して電気接続するための電線接続固定手段を構成していることを第５の特徴としている。
また本考案の鉄道レール用クランプは、上記第５の特徴に加えて、電線接続固定手段は、鉄道レール用クランプ同士を電気接続するために使用する電線の径に応じて、複数径の電線端子受入れ溝と、該電線端子受入れ溝に受け入れられた電線端子を機械的に押圧固定する押圧具を備えていることを第６の特徴としている。
また本考案の鉄道レール用クランプは、上記第５の特徴に加えて、電線接続固定手段は、鉄道レール用クランプ同士を電気接続するために使用する電線の端子をネジ固定するネジ固定手段であることを第７の特徴としている。
また本考案のクランプ式レールボンドは、上記第１〜第７の何れかの特徴の鉄道レール用クランプを一対用い、該一対の鉄道レール用クランプ同士を電線で電気接続してなる、鉄道レールのレール間電気接続用のクランプ式レールボンドであることを第８の特徴としている。
【考案の効果】
【０００７】
請求項１に記載の鉄道レール用クランプによれば、金属製帯状厚肉の鉄道レール用クランプはクランプ胴部、その長手方向先端側に一体形成されたクランプ頭部、及び長手方向末端側に一体形成されたクランプ尾部とからなる。鉄道レール用クランプの鉄道レールへのクランプ作業は、クランプ胴部を、鉄道レールの下部フランジに対して、該下部フランジを横断するように下面側から宛がいながら、クランプの頭部の屈曲折返し部を鉄道レールの下部フランジの端部に噛み込ませ、その状態で更に屈曲折返し部の受入れ隙間に鉄道レールの下部フランジの端部を圧入させる。圧入された下部フランジの端部は、クランプ頭部の係止段部に達したところで、それ以上の侵入を阻止されて止まる。このとき下部フランジの前記端部に対応する他方の端部がクランプ尾部の係止段部に嵌り込み、係止される。これによって鉄道レール用クランプは、クランプ頭部によって鉄道レールの下部フランジに噛み込んで機械的固定と電気接続を完成し、且つクランプ頭部の係止段部とクランプ尾部の係止段部との間に鉄道レールの下部フランジを下面側から係止する。
よって請求項１に記載の鉄道レール用クランプによれば、鉄道レール用クランプを鉄道レールの下部フランジの端部に圧入することで機械的に強固な結合と電気接続とを達成できる。また溶接やロウ付け等に必要な加熱設備や加熱原の必要がなく、溶接作業やロウ付け作業に要する専門性、熟練性も作業者に要求されない。
しかも金属製で帯状厚肉の鉄道レール用クランプを、そのクランプ頭部の屈曲折返し部に鉄道レールの下部フランジを圧入することで、鉄道レールとの強固な結合を達成しているので、ネジ固定のような場合と比べても、振動等による緩みを生じることがない。
更に鉄道レール用クランプは、一対の係止段部間で鉄道レールの下部フランジに係止するので、この一対の係止段部によって鉄道レール用クランプが前記下部フランジに対して圧入方向に相対的にズレ動くのが規制される。よって鉄道レールに噛み込込んだ鉄道レール用クランプの噛み込みの緩みが生じる余地が前記一対の係止段部で阻止され、電気接続が不良となるような緩みが生じることなく、強固な結合が保証される。
【０００８】
請求項２に記載の鉄道レール用クランプによれば、上記請求項１に記載の構成による作用効果に加えて、クランプ頭部の受入れ隙間は、クランプ頭部の係止段部よりも末端側において最も狭くなるように構成され、更に屈曲折返し部の折返し末端に向けて広くなるように構成されている。よって鉄道レール用クランプは、クランプ頭部の屈曲折返し部の広くなった折返し末端において、容易に鉄道レールの下部フランジの端部に対して噛み込み準備ができ、そのまま鉄道レール用クランプを鉄道レールの下部フランジに対して進出させてゆくことで、下部フランジへの噛み込みとそれに続く圧入を達成することができる。圧入は金属製帯状厚肉の鉄道レール用クランプにおいて、そのクランプ頭部の屈曲折返し部の弾性変形と一部塑性変形を伴うため、鉄道レールとの強固な結合が可能となる。
【０００９】
請求項３に記載の鉄道レール用クランプによれば、上記請求項１又は２に記載の構成による作用効果に加えて、クランプ尾部の係止段部は、鉄道レールの下部フランジの幅に応じて複数段に構成されているので、下部フランジの幅寸法が異なる複数種類の鉄道レールに対しても適用することができる。
【００１０】
請求項４に記載の鉄道レール用クランプによれば、上記請求項１〜３の何れかに記載の構成による作用効果に加えて、鉄道レール用クランプの全体がバネ鋼で構成されているので、該バネ鋼が保持する弾力性を利用して、圧入された鉄道レールとの長期に亘る強固な結合を確保することができる。
【００１１】
請求項５に記載の鉄道レール用クランプによれば、上記請求項１〜４の何れかに記載の構成による作用効果に加えて、クランプ頭部の屈曲折返し部の上面側に、鉄道レール用クランプ同士を電線で介して電気接続するための電線接続固定手段を構成しているので、この電線接続固定手段により鉄道レール用クランプ同士を電気接続することで、容易にクランプ式レールボンドを構成することができる。
【００１２】
請求項６に記載の鉄道レール用クランプによれば、上記請求項５に記載の構成による作用効果に加えて、電線接続固定手段は、鉄道レール用クランプ同士を電気接続するために使用する電線の径に応じて、複数径の電線端子受入れ溝と、該電線端子受入れ溝に受け入れられた電線端子を機械的に押圧固定する押圧具を備えているので、使用する電線の径に応じて、その径に対応する電線端子受入れ溝を選び、その選ばれた電線端子受入れ溝に使用する電線の端子を入れ、上から押圧具で機械的に押圧して固定することができる。
よって鉄道レール用クランプへの電線の固定を電線の径に対応して、且つ溶接等を用いることなく確実に固定することができる。
【００１３】
請求項７に記載の鉄道レール用クランプによれば、上記請求項５に記載の構成による作用効果に加えて、電線接続固定手段は、鉄道レール用クランプ同士を電気接続するために使用する電線の端子をネジ固定するネジ固定手段であるので、該ネジ固定手段により、電線を鉄道レール用クランプにネジ固定することで鉄道レール用クランプ同士を容易に電気接続することができる。
【００１４】
請求項８に記載のクランプ式レールボンドによれば、請求項１〜７の何れかに記載の鉄道レール用クランプを一対用い、該一対の鉄道レール用クランプ同士を電線で電気接続してなる、鉄道レールのレール間電気接続用のクランプ式レールボンドであるので、該クランプ式レールボンドを用いて、その一対の鉄道レール用クランプで鉄道レールの一対のレールに圧入して取り付けることで、容易にレール間の電気接続を行うことができる。
【図面の簡単な説明】
【００１５】
【図１】本考案の鉄道レール用クランプの第１の実施形態を示す全体斜視図である。
【図２】本考案の鉄道レール用クランプの第１の実施形態を示す平面図である。
【図３】本考案の鉄道レール用クランプの第１の実施形態を示す正面図である。
【図４】本考案のクランプ式レールボンドの実施形態を示す斜視図である。
【図５】本考案の鉄道レール用クランプを鉄道レールにクランプして固定する操作を説明する図で、（Ａ）は固定操作開始時での状態を示す図、（Ｂ）はクランプが完了した状態を示す図である。
【図６】本考案の鉄道レール用クランプの第２の実施形態を示す全体斜視図である。
【図７】本考案の鉄道レール用クランプの第３の実施形態を示す全体斜視図である。
【図８】本考案の鉄道レール用クランプの第４の実施形態を示す全体斜視図である。
【図９】本考案の鉄道レール用クランプの第５の実施形態を示す全体斜視図である。
【図１０】本考案の鉄道レール用クランプの第６の実施形態を示す全体斜視図である。
【考案を実施するための形態】
【００１６】
以下の図面を参照して、本考案の鉄道レール用クランプ及びクランプ式レールボンドを説明し、本考案の理解に供する。しかし、以下の説明は本考案の実用新案登録請求の範囲に記載の考案を限定するものではない。
【００１７】
図１〜図５を参照して、鉄道レール用クランプの第１の実施形態を説明する。
鉄道レール用クランプ１は、金属製とし、より詳しくは高級バネ鋼を用いている。その機械的性質はＪＩＳＧ４８０に相当する。鉄道レール用クランプ１の表面は、通電性を良くするため、亜鉛メッキを施している。しかし亜鉛粉配合の塗装であってもよい。
この鉄道レール用クランプ１は、鉄道レール１００に取り付いて、その間の電気接続をなすものである。
【００１８】
鉄道レール用クランプ１はクランプ胴部１０と、クランプ頭部２０と、クランプ尾部３０とからなる。クランプ頭部２０には後述する屈曲折返し部２２が構成されているが、全体としては帯状で、厚肉に構成されている。
前記クランプ胴部１０は、ほぼ直線的な帯状厚肉体と言える形状をしており、鉄道レール１００の下部フランジ１１０の下面側を横断するように配置される。
クランプ胴部１０の上面１０ａはほぼ平面で、取り付けられた際に鉄道レール１００の下部フランジ１１０の下面に宛がわれた状態となる。
【００１９】
前記クランプ頭部２０は、前記クランプ胴部１０の長手方向先端側に、係止段部２１を介して一体形成されている。またクランプ頭部２０は、その全体がクランプ胴部１０の下面１０ｂの位置よりも上方に浮き上がった状態に構成されている。クランプ胴部１０の下面１０ｂは地面に接する一方、クランプ頭部２０は地面に接しないのがよい。
クランプ頭部２０には、前記係止段部２１よりも先端側、即ち前記クランプ胴部１０の長手方向先端側の前記係止段部２１に続く先端側に、屈曲状態に折り返してなる屈曲折返し部２２が構成されている。
前記屈曲折返し部２２は、例えば厚みの１．５〜１．８倍程度の曲率半径で折り返し、これによって屈曲折返し部２２に構造的な弾性変形能を持たせている。勿論、前記曲率半径はその数値に限定されるものではない。
屈曲折返し部２２を構成することで、クランプ頭部２０に前記鉄道レール１００の下部フランジ１１０のフランジ端部１１１の圧入を受け入れる受入れ隙間２３を構成している。
【００２０】
前記受入れ隙間２３は、前記クランプ頭部２０の係止段部２１よりも末端側の位置に最小隙間部２３ａが位置するように構成されている。そして、この最小隙間部２３ａから前記屈曲折返し部２２の折返し末端２２ａに向けて広くなるように構成されている。
前記受入れ隙間２３の最小隙間部２３ａの隙間寸法は、少なくとも鉄道レール１００の下部フランジ１１０の厚み寸法よりも小さい寸法としている。これによって、鉄道レール１００の下部フランジ１１０が前記最小隙間部２３ａを介して受入れ隙間２３に圧入される構成にされている。
また前記屈曲折返し部２２は、前記最小隙間部２３ａの位置を境として、より末端側へ向けて前記クランプ胴部１０との隙間が拡大していくように構成されている。これによって屈曲折返し部２２の折返し末端２２ａにおいて、鉄道レール１００の下部フランジ１１０のフランジ端部１１１を受け入れ易くし、よってフランジ端部１１１への噛み込みが容易になるように構成している。
前記最小隙間部２３ａの隙間寸法を鉄道レール１００の下部フランジ１１０の厚みに対してどの程度小さくするかについては、屈曲折返し部２２の弾性変形能や塑性変形能に応じて、予め実験を経て適当な値が定められることになる。
ちなみに、第１の実施形態に示す鉄道レール用クランプ１は、幅が約２５ｍｍ、厚みが約１５ｍｍ、長さが約２０５ｍｍ、クランプ頭部２０の高さが約６０ｍｍ、屈曲折返し部２２の外径の曲率半径が約２５ｍｍ、最小隙間部２３ａの隙間が約１０ｍｍに調整されている。
【００２１】
前記クランプ尾部３０は、前記クランプ胴部１０の長手方向末端側に連続して一体形成されている。このクランプ尾部３０は、クランプ胴部１０の末端側から上向きに傾斜した状態に形成することで、前記クランプ胴部１０の下面１０ｂの位置よりも上方に浮き上がった状態に構成されている。
前記クランプ胴部１０の末端側から上向きに傾斜して構成されたクランプ尾部３０には、係止段部３１が構成されている。この係止段部３１は、前記クランプ頭部２０の係止段部２１に対応して、鉄道レール１００の下部フランジ１１０の他方のフランジ端部１１２に係止されるものである。
前記係止段部３１は、本実施形態では、複数の段３１ａ、３１ｂ、３１ｃから構成されている。鉄道レール１００の種類に応じて異なる寸法の幅を持つ下部フランジ１１０に対応するためである。本実施形態では３段３１ａ、３１ｂ、３１ｃであるから、３種類の下部フランジ１１０に対して適用できる。
一番低い位置にある段３１ａはクランプ胴部１０の上面１０ａと面一の面から立ち上がる構成にされている。
一対の係止段部２１、３１を鉄道レール１００の下部フランジ１１０の両フランジ端部１１１、１１２に係止させることで、鉄道レール１００の下部フランジ１１０に取り付けられた鉄道レール用クランプ１が、長手方向にズレ動かないようにすることができる。これによって、鉄道レール１００に噛み込み圧入させたクランプ頭部２０が、抜け落ち方向に動くのを係止させることができる。
【００２２】
図４を参照して、一対の鉄道レール用クランプ１、１を用いて、これらを電線４０で電気接続することで、クランプ式レールボンド２を構成することができる。具体的には、電線４０の両端子４１、４１をそれぞれ鉄道レール用クランプ１、１に固定することで電気接続すればよい。
電線４０は被覆線とし、電線端子４１、４１の鉄道レール用クランプ１、１への固定は溶接、ロウ接、ネジ固定、その他の手段による電線接続固定手段５０を用いることができる。
図４に示す実施形態では、電線端子４１を電線接続固定手段５０の溶接５１によってクランプ頭部２０の上面に固定している。
クランプ式レールボンド２は、電気接続したい一対の鉄道レール１００、１００に対して取付けられ、前記一対の鉄道レール１００、１００間を電気接続する。即ち、クランプ式レールボンド２の一方の鉄道レール用クランプ１を一方の鉄道レール１００の下部フランジ１１０に圧入、固定して電気接続し、クランプ式レールボンド２のもう一方の鉄道レール用クランプ１をもう一方の鉄道レール１００の下部フランジ１１０に圧入、固定して電気接続する。これによって、一対の鉄道レール１００、１００間における通電が可能となる。
【００２３】
図５を参照して、クランプ式レールボンド２に用いる鉄道レール用クランプ１を鉄道レール１００へ圧入、固定して、クランプをなし、電気接続を完成させる仕方について説明する。なお図５においては、鉄道レール用クランプ１に電線４０を示していないが、クランプ式レールボンド２の一部として電線４０が電気接続された鉄道レール用クランプ１である。
先ず図５の（Ａ）に示すように、鉄道レール用クランプ１のクランプ胴部２０を、鉄道レール１００の下部フランジ１１０に対して横断するようにして、下面側から軽く宛がいながら、クランプ頭部２０の屈曲折返し部２２の折返し末端２２ａを、下部フランジ１１０のフランジ端部１１１に当接するように宛がう。そしてこの状態でハンマーＨ等の殴打手段を用いてクランプ頭部２０を叩いて、該クランプ頭部２０の屈強折返し部２２をフランジ端部１１１に噛み込ませ、更に殴打を続けて、下部フランジ１１０がクランプ頭部２０の受入れ隙間２３の内部へと圧入されて行くようにする。
【００２４】
図５の（Ｂ）に示すように、下部フランジ１１０のフランジ端部１１１がクランプ頭部２０の受入れ隙間２３内の係止段部２１にまで圧入されると、それ以上の進出が阻止される。このとき、下部フランジ１１０の他方の端部１１２が、対応するクランプ尾部３０の係止段部３１に嵌り込んで係止される。これによって下部フランジ１１０は、クランプ頭部２０の係止段部２１とクランプ尾部３０の係止段部３１の最前の段３１ａとの間に係止される。言い換えれば、鉄道レール用クランプ１が両係止段部２１、３１で下部フランジ１１０に係止された状態となり、鉄道レール用クランプ１が下部フランジ１１０に対して、その横断方向（短手方向）にズレ動くのが防止される。これによって下部フランジ１１０に圧入されたクランプ頭部２０が逆方向に戻るのが防止される。
前記鉄道レール用クランプ１の係止は、下部フランジ１１０の寸法に応じて、係止段部２１と係止段部３１の中間の段３１ｂや最後の段３１ｃとの間に係止されてもよい。
係止段部３１の各段３１ａ、３１ｂ、３１ｃと係止段部２１との間隙寸法は、予め鉄道レール１００の下部フランジ１１０の横断寸法に合わせて、丁度嵌り込む寸法にしている。ただし、この間隙寸法は圧入を前提とするようなきつい寸法である必要はない。強固に圧入、固定されて電気接続を完成するのは、あくまでクランプ頭部２０の屈曲折返し部２２と下部フランジ１１０との圧入よる接触である。
【００２５】
図６を参照して、鉄道レール用クランプ１に電線接続固定手段５０を予め備えた第２の実施形態を示す。この電線接続固定手段５０は、電線受入れ本体５２と、押圧具５３とからなる。
前記電線受入れ本体５２は、クランプ頭部２０の屈曲折返し部２２の上面側に溶接により一体に固定して構成することができる。
電線受入れ本体５２には、その上面側に、受け入れ径の異なる複数の受入れ溝５２ａが構成されており、太さの異なる複数の電線４０に対応できるようになされている。
また電線受入れ本体５２には、前記受入れ溝５２ａに受け入れられた電線４０を上から押圧して不動に固定するため、押圧具５３を貫通させて保持するための一対の貫通穴５２ｂが構成されている。具体的には、前記受入れ本体５２の前記複数の受入れ溝５２ａの両側に立ち上がる両側壁５２ｃに一対の貫通穴５２ｂを設け、この一対の貫通穴５２ｂにバネ板からなる押圧具５３を貫通させることで、受入れ溝５２ａ内に保持された電線４０を上から押圧して固定する。
【００２６】
図７を参照して、鉄道レール用クランプ１の第３の実施形態では、電線接続固定手段５０として、前記図６で示した電線受入れ本体５２とは少し構成の異なる電線受入れ本体５４と、押圧具５５を備えている。前記電線受入れ本体５４は、クランプ頭部２０の屈曲折返し部２２の上面側に溶接により一体に固定して構成することができる。
前記電線受入れ本体５４には、その上面側に、受け入れ径の異なる複数の受入れ溝５４ａが構成されており、太さの異なる複数の電線４０に対応できるようになされている。
一方、前記押圧具５５は、バネ性の三角櫛状体として構成されている。そしてこの押圧具５５を受け入れて保持するための一対の櫛受け部５４ｂが、前記電線受入れ本体５４に構成されている。具体的には、前記受入れ本体５４の前記複数の受入れ溝５４ａの両側に立ち上がる両側壁５４ｃに一対の櫛受け部５４ｂを設け、この一対の櫛受け部５４ｂにバネ性の三角櫛状体からなる押圧具５５を挟み込むことで、受入れ溝５４ａ内に保持された電線４０を上から押圧して固定する。
【００２７】
図８を参照して、鉄道レール用クランプ１の第４の実施形態を示す。この第４の実施形態では、電線接続固定手段５０として、ネジ固定手段５６を備えている。該ネジ固定手段５６は、クランプ頭部２０の屈曲折返し部２２の上面側に構成されるネジ穴５６ａ、該ネジ穴５６ａに対してねじ込まれるボルト５６ｂとから構成され、その他、必要に応じて、座金５６ｃ、周り止め座金５６ｄを含んで構成される。
電線４０の端子４１（穴あき）にボルト５６ｂを貫通させ、また座金５６ｃ、５６ｄを介在させた状態で、前記ネジ穴５６にねじ込むことで、電線４０の接続固定ができる。
【００２８】
図９を参照して、鉄道レール用クランプ１の第５の実施形態を示す。この第５の実施形態では、電線接続固定手段５０として、前記図８に示すものと同系統のネジ固定手段５７を備えている。このネジ固定手段５７は、クランプ頭部２０の屈曲折返し部２２の上面側に設けられる電線受入れ本体５７ａと該電線受入れ本体５７ａに構成されるネジ穴５７ｂとを有する。前記電線受入れ本体５７ａは溶接により前記屈曲折返し部２２の上面側に一体固定して構成することができる。
本実施形態では、電線端子４１を雄ネジ状に構成した電線４０を用いる。電線４０の端子４１をネジ穴５７ｂにねじ込むことで、容易に電線４０の鉄道レール用クランプ１への接続固定ができる。
【００２９】
図１０を参照して、鉄道レール用クランプ１の第６の実施形態を示す。この第６実施形態は、前記図８、図９に示すものと同系統のネジ固定手段５８を備えている。このネジ固定手段５８は、クランプ頭部２０の屈曲折返し部２２の上面側に設けられる電線受入れ本体５８ａと該電線受入れ本体５８ａから突設して構成される雄ネジ５８ｂとを有する。前記電線受入れ本体５８ａは溶接により前記屈曲折返し部２２の上面側に一体固定して構成することができる。
本実施形態では、電線端子４１を雌ネジ状に構成した電線４０を用いる。電線４０の端子４１を雄ネジ５８ｂとネジ結合することで、容易に電線４０の鉄道レール用クランプ１への接続固定ができる。
【産業上の利用可能性】
【００３０】
本考案の鉄道レール用クランプ、クランプ式レールボンドは、鉄道レールの電気接続を行う手段として、産業上の利用可能性が大きい。
【符号の説明】
【００３１】
１          鉄道レール用クランプ
２          クランプ式レールボンド
１０        クランプ胴部
１０ａ      上面
１０ｂ      下面
２０        クランプ頭部
２１        係止段部
２２        屈曲折返し部
２２ａ      折返し末端
２３        受入れ隙間
２３ａ      最小隙間部
３０        クランプ尾部
３１        係止段部
３１ａ      段
３１ｂ      段
３１ｃ      段
４０        電線
４１ａ      電線端子
５０        電線接続固定手段
５１        溶接
５２        電線受入れ本体
５２ａ      受入れ溝
５２ｂ      貫通穴
５２ｃ      両側壁
５３        押圧具
５４        電線受入れ本体
５４ａ      受入れ溝
５４ｂ      櫛受け部
５４ｃ      両側壁
５５        押圧具
５６        ネジ固定手段
５６ａ      ネジ穴
５６ｂ      ボルト
５６ｃ      座金
５６ｄ      周り止め座金
５７        ネジ固定手段
５７ａ      電線受入れ本体
５７ｂ      ネジ穴
５８        ネジ固定手段
５８ａ      電線受入れ本体
５８ｂ      雄ネジ
１００      鉄道レール
１１０      下部フランジ
１１１      フランジ端部
１１２      フランジ端部
Ｈ          ハンマー
【図１】
0003202005.tif 000003
【図２】
0003202005.tif 000004
【図３】
0003202005.tif 000005
【図４】
0003202005.tif 000006
【図５】
0003202005.tif 000007
【図６】
0003202005.tif 000008
【図７】
0003202005.tif 000009
【図８】
0003202005.tif 000010
【図９】
0003202005.tif 000011
【図１０】
0003202005.tif 000012